(57)【特許請求の範囲】
【請求項１】
液および魚介類を収容できると共に液中にエアーを分散させる分散器を備えるようにした容器本体と、容器本体に被せ得る蓋体および蓋体の上方開放部を閉塞できる補助蓋体とから構成されてあり、
蓋体内は１つの空室として形成され、蓋体内には容器本体内の分散器とエアー導入管を介して接続させるエアーポンプを配置できる配置枠を蓋体内壁より低く底部より突出させてあり、蓋体底部には容器本体と通じる排気孔を形成し、さらに蓋体側部には補助蓋体を被せても蓋体内が外気と通じるようにした通気口を形成してあり、
ポンプの配置枠は蓋体内の隅部にＬ形に形成されていて、蓋体内壁の隅部Ｌ形部分とともにエアーポンプ配置空間を形成しており、
エアーポンプの配置枠内面と、蓋体内壁の隅部Ｌ形内面とに突出部を間隔をあけて形成し、当該間隔をエアーポンプとの間の空隙として形成できるようにしてあることを特徴とする魚介類の輸送用容器。
【請求項２】
ポンプの配置枠は蓋体の内壁の１／２以下の高さで突出されていることを特徴とする請求項１記載の魚介類の輸送用容器。
【請求項３】
エアーポンプの配置空間位置における底面には突出部を間隔をあけて形成し、当該間隔をエアーポンプとの間の空隙として形成できるようにしてあることを特徴とする請求項１または２に記載の魚介類の輸送用容器。
【請求項４】
蓋体内の底部には排気孔の位置を避けて突出部を間隔をあけて形成し、当該間隔を突出部上に載置される冷却材との空隙として形成できるようにしてあることを特徴とする請求項１〜３の何れかに記載の魚介類の輸送用容器。
【請求項５】
上記請求項１〜４の何れかに記載された魚介類の輸送用容器を用いて、容器本体に液とともに魚介類を収容し、液中に空気を分散させる分散器を備え、蓋体内に収容したエアーポンプとエアー導入管を介して接続させ、蓋体側部の通気口からエアーを導入させ、上記蓋体内壁の隅部Ｌ形内面およびエアーポンプの配置枠内面に形成された突出部によって、エアーポンプと蓋体内壁および配置枠内面との間に生じた空隙を介してエアーポンプは導入されるエアーを吸引し、液中にエアーを吹き込みながら輸送することを特徴とする魚介類の輸送方法。
【発明の詳細な説明】
【０００１】
【発明の属する技術分野】
本発明は魚介類を輸送するための容器と魚介類の輸送方法とに関する。
【０００２】
【従来の技術および発明が解決しようとする課題】
従来、魚介類を容器に入れて輸送する手段としては、特開平７−１６０３７号公報に記載された輸送装置がある。
この輸送装置としては、容器本体内部に一体成形したぴったりと合致する合成樹脂等でできた硬質の薄い容器を装着してなることを必須の要件とした魚介類輸送容器であって、魚貝類等を収納し、蓋をして、容器と蓋との接合部分をゴム等でできている粘着テープ等を使用して密封状態にすることで魚貝類等を輸送することができる、と記載されている。
【０００３】
上記のような従来の輸送装置は、容器内部へ装着する薄い容器を準備せねばならず、しかもその装着に手数を要するほか、使用中に薄い容器が変形したりし易いという問題点があった。
また、上記従来の輸送装置は、容器本体に被せる蓋は、その内部を複数の空間に間仕切った形状を示してあるゆえ、吸気および排気の経路を形成するのに面倒で複雑化し易い形態であるという課題を有していた。
【０００４】
そこで、本発明においては、魚介類を長時間、活きた状態で輸送する容器として、上記した従来の魚介類の輸送装置における課題を全て解消できるようにした輸送用容器と輸送方法とを提供できるように発明したものである。
【０００５】
【課題を解決するための手段】
本発明による魚介類の輸送容器としては、請求項１に記載したように、液および魚介類を収容できると共に液中にエアーを分散させる分散器を備えるようにした容器本体と、容器本体に被せ得る蓋体および蓋体の上方開放部を閉塞できる補助蓋体とから構成されてあり、蓋体内は１つの空室として形成され、蓋体内には容器本体内の分散器とエアー導入管を介して接続させるエアーポンプを配置できる配置枠を蓋体内壁より低く底部より突出させてあり、蓋体底部には容器本体と通じる排気孔を形成し、さらに蓋体側部には補助蓋体を被せても蓋体内が外気と通じるようにした通気口を形成してあり、ポンプの配置枠は蓋体内の隅部にＬ形に形成されていて、蓋体内壁の隅部Ｌ形部分とともにエアーポンプ配置空間を形成しており、エアーポンプの配置枠内面と、蓋体内壁の隅部Ｌ形内面とに突出部を間隔をあけて形成し、当該間隔をエアーポンプとの間の空隙として形成できるようにしてあることを特徴としている。
請求項２記載の発明は、ポンプの配置枠は蓋体の内壁の１／２以下の高さで突出されていることを特徴とする請求項１記載の魚介類の輸送用容器である。
請求項３記載の発明は、エアーポンプの配置空間位置における底面には突出部を間隔をあけて形成し、当該間隔をエアーポンプとの間の空隙として形成できるようにしてあることを特徴とする請求項１または２に記載の魚介類の輸送用容器である。
請求項４記載の発明は、蓋体内の底部には排気孔の位置を避けて突出部を間隔をあけて形成し、当該間隔を突出部上に載置される冷却材との空隙として形成できるようにしてあることを特徴とする請求項１〜３の何れかに記載の魚介類の輸送用容器である。
請求項５記載の発明は、上記請求項１〜４の何れかに記載された魚介類の輸送用容器を用いて、容器本体に液とともに魚介類を収容し、液中に空気を分散させる分散器を備え、蓋体内に収容したエアーポンプとエアー導入管を介して接続させ、蓋体側部の通気口からエアーを導入させ、上記蓋体内壁の隅部Ｌ形内面およびエアーポンプの配置枠内面に形成された突出部によって、エアーポンプと蓋体内壁および配置枠内面との間に生じた空隙を介してエアーポンプは導入されるエアーを吸引し、液中にエアーを吹き込みながら輸送することをることを特徴とする魚介類の輸送用容器である。
【０００６】
この発明による魚介類の輸送用容器によると、容器本体、蓋体および補助蓋体との組合せによるものであって、容器本体には従来技術のような薄い内容器は装着されていないし、蓋体内は１つの空室として形成されているので、仕切りによって吸気や排気の経路が遮断され、経路形成が複雑化し易い従来技術より吸気や排気の手段が単純化されることになる。
特に容器本体内の分散器とエアー導入管を介して接続させるエアーポンプを配置できる配置枠を蓋体内壁より低く底面より突出させているので、蓋体内の空間を仕切るような配置枠とならず、蓋体内の空間を１つの空室として維持できることになる。
【０００７】
具体的な配置枠の高さは、蓋体の内壁高さの１／２以下の高さで突出形成させるのが好ましいものである。
上記エアーポンプの配置枠は蓋体内の隅部にＬ形に形成されていて、蓋体内壁の隅部Ｌ形部分とともにエアーポンプ配置空間を形成しており、蓋体内の空間利用を高めることができる。
【０００８】
そして、エアーポンプの配置枠内面と、蓋体内壁の隅部Ｌ形内面とに突出部を間隔をあけて形成してあり、エアーポンプへのエアー導入を良好にできる。また、エアーポンプが配置枠に密接しなくなるので、取出しもし易くなる。
さらに、エアーポンプの配置空間位置における底面には突出部を間隔をあけて形成し、当該間隔をエアーポンプとの間の空隙として形成できるようにしてあれば、これら空隙からエアーポンプへのエアー導入がより良好となると同時にエアーポンプ作動時のポンプ自体が過度に発熱するおそれがなくなる利点を生ずる。
【０００９】
また、本発明においては、請求項４に記載した構成により、冷却材による冷気の流通を一層良好にできることと、容器本体内から上方への排気を冷却材の載置によって阻害しないことになる。
さらに本発明による魚介類の輸送方法としては、請求項５に記載したように、本発明にかかる魚介類の輸送用容器を用いて、魚介類を長時間活きた状態で良好に輸送することができる。
【００１０】
なお、容器本体、蓋体および補助蓋体としては、合成樹脂特に合成樹脂発泡体による成形品が好ましい。
【００１１】
【発明の実施の形態】
次いで、本発明の実施形態について図を参照しながら以下に説明する。
図１は使用状態を示している断面図であり、図中の１０は容器本体、２０は容器本体１０に被せ得る蓋体、３０は蓋体２０の上方開放部を閉塞している補助蓋体をそれぞれ示している。
上記容器本体１０内には海水等の液Ａおよび魚介類Ｂを収容していると共に液中にエアーを分散させる分散器４０を備え、分散器４０は蓋体２０内に配置させてあるエアーポンプ５０（乾電池にて作動）とエアー導入管６０を介して接続させてあり、２２はエアー導入管６０を挿通させてある蓋体２０の底部２１に形成された管挿通用孔を示している。
【００１２】
また２３は蓋体２０の底部２１に形成された排気孔であって、容器本体１０内と通じている。２４はエアーポンプ５０を配置できるようにした配置枠であり、蓋体２０の内壁２５より低く、例えば内壁２５の１／２以下の高さになるように底部２１より突出形成させている。
図２は補助蓋体３０を外しエアーポンプ５０を除外して蓋体２０が見えるように現わした平面図であり、図中の２５は蓋体２０の側部に形成してある通気口であって、左右１箇所ずつ２個形成してあり、この通気口２５は補助蓋体３０を被せても蓋体２０内が外気と通ずるような深さでテーパ状に形成されている。
【００１３】
また、エアーポンプ５０に対する配置枠２４はエアーポンプ５０の外形に対応した形状、例えばエアーポンプ５０が角形であれば平面視角形の枠に形成して実施してもよいが、上記図２の場合には蓋体２０内の隅部に平面視Ｌ形に形成されていて、蓋体２０の隅部Ｌ形部分とともに、エアーポンプ５０の配置空間を形成しているものを図示しており、この場合には蓋体２０内の空間を有効利用できることになる。
【００１４】
また、エアーポンプの配置枠２４内面と、蓋体２０内壁２５の隅部Ｌ形部分の内面とに突出部２６と、突出部２７を何れも間隔をあけて形成し、この間隔をエアーポンプ５０との間の空隙Ｃ1 ，Ｃ2 として形成できることになる。さらにエアーポンプ５０の配置空間となる位置の底面にも突出部２８を間隔をあけて形成し、この間隔をエアーポンプ５０との間の空隙Ｃ3 として形成できるように形成してある。
【００１５】
これらの空隙Ｃ1 ，Ｃ2 ，Ｃ3 は何れもエアーポンプ５０へのエアー導入を行い易くし、且つエアーポンプ５０が密接するのを避けてその取出しを容易にしているもので、エアーポンプ５０の底面にはエアー導入口５１があり、その位置を図２のエアーポンプ５０の仮想位置内に示している。
さらに、蓋体２０の底部２１には排気孔２３の位置をできるだけ避けて突出部２９を間隔を開けて形成してあり、この間隔を突出部２９上に載置される蓄冷材等の冷却材（図示せず）との空隙Ｃ4 として形成できることになり、冷却材による冷気の流通を良好にしている。
【００１６】
図３〜図５は図２におけるIII−III、IV−IVおよびＶ−Ｖにおける断面図であり、通気口２５や、エアーポンプ５０の載置枠２４における突出部２６，２７，２８、さらには蓄冷材の載置部分における突出部２９等の部分が分り易く図示されている。
なお、容器本体１０、蓋体２０および補助蓋体３０は合成樹脂にて形成されているもので、特に発泡スチロール樹脂等の合成樹脂の発泡体（いわゆるビーズ成形品）が断熱性、軽量性等の点で好ましいものである。
【００１７】
上述したごとく、本発明の魚介類輸送容器は、魚介類Ｂとともに海水等の液Ａを収容し、蓋体２０に収納しているエアーポンプ５０を作動して、蓋体２０の通気口２５から入ったエアーをエアー導入管６０より導入し、より好ましくは冷却された冷気を空気分散器４０より、水溶液中に噴き込みながら輸送することで、魚介類を長時間、活きた状態で輸送することができる。冷気は輸送する容器を冷却された庫内に載置して輸送する方法であっても、また、本発明容器に導入する外気を冷却するための冷却部材（氷、蓄冷材等）を使用する方法であっても良いことはいうまでもない。
【００１８】
【発明の効果】
以上詳述した本発明による魚介類の輸送用容器によると、容器本体に被せる蓋体内の１つの空室にはエアーポンプをその配置枠の形成にて収納し易くしてあり、安定した収納状態を維持でき、しかも容器本体へのエアー導入や容器本体からの排気についても蓋体における通気口や排気孔の構成にて適切に対応でき、活きた状態での魚介類の輸送を実現するのに好適となる。
【００１９】
また、本発明による魚介類の輸送方法によると、魚介類を長時間活きた状態で輸送するのに極めて好適な方法となる。
【図面の簡単な説明】
【図１】使用状態を示す断面図である。
【図２】補助蓋体およびエアーポンプを取り除いて示す平面図である。
【図３】図２のIII − IIIの断面図である。
【図４】図２のIV−IVの断面図である。
【図５】図２のＶ−Ｖの断面図である。
【符号の説明】
１０    容器本体
２０    蓋体
３０    補助蓋体
Ａ    液
Ｂ    魚介類
４０    分散器
５０    エアーポンプ
６０    エアー導入管
２１    蓋体の底部
２３    排気孔
２４    エアーポンプの配置枠
２５    通気口
２６    突出部
２７    突出部
２８    突出部
２９    突出部
Ｃ1 ，Ｃ2 ，Ｃ3     空隙
【図１】
0003688165.tif 000002
【図２】
0003688165.tif 000003
【図３】
0003688165.tif 000004
【図４】
0003688165.tif 000005
【図５】
0003688165.tif 000006